(57)【特許請求の範囲】
【請求項１】
バラになった包装シートを所定枚数毎に分けて間欠移送するバラシートコンベアと、該バラシートコンベアの第１の取り出し部に隣接して設けられていて、該バラシートコンベアによって送られた所定枚数の包装シートをバンド結束して結束シートにするバンド結束機構と、上流端を該バラシートコンベアの第２の取り出し部に隣接させて配置されていて、該バラシートコンベアによって送られた所定枚数の無結束の包装シートを搬送する第１の搬送経路及びバンド結束された結束シートを複数個搬送する第２の搬送経路を有する取り入れコンベアと、該バンド結束機構の下流側に配置されていて、該バンド結束機構によってバンド結束された結束シートを複数個まとめる結束シートまとめ機構と、該取り入れコンベアの第２の搬送経路の後部に設けられていて、該第２の搬送経路を通して送られた複数個の結束シートを該取り入れコンベアの第１の搬送経路内に搬入する搬入機構とを備えた包装シートの集積包装用搬送装置。
【請求項２】
所定の経路にしたがって巡回移動する無端可撓体と、
該無端可撓体に所定の間隔で取り付けられた多数の送り部材であって、上下方向に伸びる第１の送り部分と左右方向に伸びる第２の送り部分とを有する送り部材と、
該送り部材の移動経路に沿って設けられていて、該第１の送り部分が通る通路を画成しかつ上にバラの重ねられた包装シートを案内するバラシート案内と、
該バラシート案内と直列に整合して配置された共通シート案内であって、送り爪が通る通路を画成しかつ上にバラの重ねられた包装シートを案内する共通シート案内と、
該バラシート案内の下側の位置において該送り部材の移動経路に沿って設けられていて、結束シートを案内する結束シート案内と、
結束シート案内の終端部に隣接して配置されていて結束シート案内から送られた結束シートを共通シート案内に搬入する搬人機構と、を備え、
該バラシート案内の該共通シート案内側の一部分が取り外し可能になっている集積包装用コンベア。
【請求項３】
請求項２に記載の集積包装用コンベアにおいて、該バラシート案内及び結束シート案内が、それぞれ、該送り部材の第１の送り部分の通る通路を画成する下ガイドプレートと、該下ガイドプレートに位置調整可能に取り付けられていて搬送する包装シート又は結束シートを案内する側部案内部材とを備えている集積包装用コンベア。
【発明の詳細な説明】
【０００１】
【産業上の利用分野】
本発明は包装シートを集接して包装する集積包装に使用するのに適した搬送装置に関し、詳しくは１台の装置で異なる包装形態に対応できるようにした集積包装用般送装置に関する。
【０００２】
【従来の技術】
包装シートを複数枚集積して包装するいわゆるピロー包装においては、例えば被包装物品が錠剤のような場合には、薬剤の種類により、バラの包装シートを１０枚だき合わせてピロー包装する方式や、複数枚の包装シートをバンド結束した結束シートを複数個まとめてピロー包装する方式等がある。かかる包装形態の相違によりピロー包装される包装シート或いはその集合体の搬送方法が異なってくるが、従来では、各包装方式に対してそれぞれ別個の搬送装置を用意していたため、多品種少量生産する場合には、包装方式を変更する毎にそれに対応した搬送装置を準備しなければならない問題がある。なお、この明細書中で「バラ」とは複数の包装シートがバンド、テープ等により結束されていない状態を言う。
【０００３】
すなわち、例えば１０枚のバラの包装シートを無結束でピロー包装する場合には、搬送途中で包装シートの積み重ねが崩れるのを防止するために、ピロー取り入れコンベアへの包装シートの供給は、移送を確実にするために、１０枚集積した包装シートを転送装置の旋回移動可能なチャックにより把持した状態で受け渡しを行っているが、所定枚数の包装シートを結束して結束シートを形成した後、その結束シートを複数個まとめてピロー包装する場合には、結束バンド機を転送装置の下流側に設ける必要がある。このため、上記の異なる包装方式に対処するために、搬送装置はそれぞれ専用のライン構成を有する構造になっている。
【０００４】
【発明が解決しようとする課題】
本発明が解決しようとする課題は、複数枚の無結束の包装シートをピロー包装する場合と包装シートをバンド結束してできた結束シートを複数個ピロー包装する場合のように、包装方式の相違に１台で対応できる包装シートの集積包装用の搬送装置及びそのような装置に使用するコンベアを提供することである。
【０００５】
【課題を解決するための手段】
本発明による集積包装用の搬送装置は、バラになった包装シートを所定枚数毎に分けて間欠移送するバラシートコンベアと、該バラシートコンベアの第１の取り出し部に隣接して設けられていて、該バラシートコンベアによって送られた所定枚数の包装シートをバンド結束して結束シートにするバンド結束機構と、上流端を該バラシートコンベアの第２の取り出し部に隣接させて配置されていて、該バラシートコンベアによって送られた所定枚数の無結束の包装シートを搬送する第１の搬送経路及びバンド結束された結束シートを複数個搬送する第２の搬送経路を有する取り入れコンベアと、該バンド結束機構の下流側に配置されていて、該バンド結束機構によってバンド結束された結束シートを複数個まとめる結束シートまとめ機構と、該取り入れコンベアの第２の搬送経路の後部に設けられていて、該第２の搬送経路を通して送られた複数個の結束シートを該取り入れコンベアの第１の搬送経路内に搬入する搬入機構とを備えて構成されている。
本発明による包装装置用コンベアは、所定の経路にしたがって巡回移動する無端可撓体と、該無端可撓体に所定の間隔で取り付けられた多数の送り部材であって、上下方向に伸びる第１の送り部分と左右方向に伸びる第２の送り部分とを有する送り部材と、該送り部材の移動経路に沿って設けられていて、該第１の送り部分が通る通路を画成しかつ上にバラの重ねられた包装シートを案内するバラシート案内と、該バラシート案内と直列に整合して配置された共通シート案内であって、送り爪が通る通路を画成しかつ上にバラの重ねられた包装シートを案内する共通シート案内と、該バラシート案内の下側の位置において該送り部材の移動経路に沿って設けられていて、結束シートを案内する結束シート案内と、結束シート案内の終端部に隣接して配置されていて結束シート案内から送られた結束シートを共通シート案内に搬入する搬入機構と、を備え、該バラシート案内の該共通シート案内側の一部分が取り外し可能に構成されている。
【０００６】
上記バラシート案内及び結束シート案内が、それぞれ、該送り部材の第１の送り部分の通る通路を画成する下ガイドプレートと、該下ガイドプレートに位置調整可能に取り付けられていて搬送する包装シート又は結束シートを案内する側部案内部材とを備えていてもよい。
上記搬送装置において、バラの包装シートの搬送と、結束シートの搬送をと装置の一部の部品の配置を変更するだけで容易に選択的に行えるので、少量多品種の包装シートをピロー包装を行う場合の包装形態の変更にも敏速に対処できる。
【０００７】
【実施例】
以下、図面を参照して本発明の実施例について説明する。
図１は、本実施例による包装シートの集積包装用の搬送装置１の各機構の配置を示す概略平面図である。図１に示されるように、搬送装置１は、ブリスタ包装機によりつくられて送られて来た包装シートを所定枚数ずつ受け取って所定の移送経路に沿って間欠移送するバラシートコンベア２と、バラシートコンベア２の第１の取り出し部２０１に隣接して設けられていてそのバラシートコンベアによって送られてきた所定枚数の包装シートをバンド結束するバンド結束機構３と、バラシートコンベア２の第２の取り出し部２０２に隣接して設けられていてそのバラシートコンベアによって送られてきた所定枚数の包装シートを重ねた状態で第１の搬送経路を通して搬送する取り入れコンベア４と、バンド結束機構３の下流側に配置されていて、該バンド結束機構によって結束された結束シートを複数個まとめる結束シートまとめ機構５と、取り入れコンベア４内に設けられていて、取り入れコンベアの第２の搬送経路を通して送られた結束シートを第１の搬送経路に送る搬入機構６と備え、それらは図１に示される位置関係に配置されている。
【０００８】
７ａ及び７ｂはバンド結束された結束シートＢＳを１個ずつ結束シートまとめ機構５まで送るコンベアであり、７ｃは、結束シートまとめ機構５によりまとめられた複数個（この実施例では５個）の結束シートを取り入れコンベアの近くまで送るコンベアである。なお、バラシートコンベア２は、所定の経路を巡回移動するベルト或いはチエーン等の無端可撓体２０に所定の間隔で取り付けられた把持チャック２１を備え、その把持チャックにより上下に重ねられた複数枚（例えば１０枚）のバラのシートを把持して搬送するようになっている。このバラシートコンベア２は、取り入れ部２０３で上流側から重ねられた状態で供給された所定枚数（例えば５枚又は１０枚）のバラの包装シートＳを、把持チャック２１で把持して、無端可撓体２０の移動方向に巡回移動させ、第１及び第２の取り出し部２０１及び２０２に順次送るようになっている。このバラシートコンベアは公知の構造のものでよいので、構造及び動作についての詳細な説明は省略する。また、コンベア７ａ及び７ｃは公知の構造のベルトコンベアでよいのでその構造及び動作の詳細な説明は省略する。更に、バラシートコンベア２からバンド結束機構３内への及び取り入れコンベア４上への複数枚の包装シートの転送は、公知の構造の転送装置で行えばよいので、それらに付いての説明は省略する。更に、バンド結束機構３及び結束シートまとめ機構５は、公知の構造のものを適用できるので、この明細書では、その構造及び動作に付いての詳細な説明は省略する。
【０００９】
図２及び図３において、コンベア７ｂは、水平に配置された回転軸７１０ｂを有していて公知の構造の駆動機構によって間欠回転される駆動輪（この実施例では駆動歯付きベルト車で、以下においては駆動ベルト車と呼ぶ）７１ｂと、同じく水平に配置された回転軸を有する従動輪（この実施例では従動歯付きベルト車、以下においては従動ベルト車と呼ぶ）７２ｂと、駆動ベルト車７１ｂ及び従動ベルト車７２ｂに掛けられた無端可撓体（この実施例では無端の歯付きベルト、以下においてはベルトと呼ぶ）７３ｂとを備えている。ベルト７３ｂには、複数対の搬送プレート７４ｂが所定の間隔で取り付けられている。このコンベア７ｂは、取り入れ位置で上流側から対の搬送プレート７４ｂ間に供給された結束シートＢＳを、その搬送プレートで挟むようにして、しかも結束シートＢＳの下側をガイドプレート７５ｂで支えるようにして、ベルトの移動方向に巡回移動させ、取り出し位置に順次送るようになっている。
【００１０】
図４ないし図９において、取り出しコンベア４は、フレーム４０に回転可能に支持された駆動軸４１０によって同時に回転されるようになっている一対の駆動輪（この実施例では駆動歯付きベルト車で、以下においては駆動ベルト車と呼ぶ）４１と、フレーム４０にそれぞれ支持された支持軸４２０に回転自在に支持された対の従動輪（この実施例では従動歯付きベルト車で、以下においては従動ベルト車と呼ぶ）４２と、その駆動ベルト車４１及び従動ベルト車４２に掛けられた対の無端可撓体（この実施例では無端の歯付きベルト、以下においてはベルトと呼ぶ）４３とを備えている。従動ベルト車４２は、上記バラシートコンベア２の第２の取り出し位置２０２に隣接して配置されている。駆動軸４１０は公知の構造の駆動機構により連続又は間欠回転されるようになっている。
【００１１】
対のベルト４３には対のクランク形の取り付け具４４０を介して送り部材４４が所定の間隔で多数固定されている。送り部材４４は、対の取り付け具４４０間で伸びる水平ロッド部分４４１と、その水平ロッド部分４４１の中央部から鉛直に上に伸びる鉛直ロッド部分４４２とを備えていて、鉛直ロッド部分は溶接等により水平ロッド部分に一体的に固定されている。鉛直ロッド部分４４２は請求項に記載の発明の第１の送り部分を構成し、水平ロッド部分は請求項に記載の発明の第２の送り部分を構成する。フレーム４０の上部で、送り部材４４の水平ロッド部分４４１より上の位置には、鉛直ロッド部分４４２を挟んだ状態で一対の下ガイドプレート４５１が、取り入れコンベアの上流側の位置Ａと駆動ベルト車４１の位置Ｂとの間（図４において）に亙って取り付け部材４５０によって取り付けられている。同様に、位置Ｃと位置Ｄとの間には、図７に示されるように、対の下ガイドプレート４６１が取り付け部材４６０によって取り付けられている。対の下ガイドプレート４５１の間の間隙４５５は、鉛直ロッド部分４４２が通過する通路を形成しており、対の下ガイドプレート４６１の間の隙間４６５は後述する送り爪が通る通路を形成している。各下ガイドプレート４５１には側部案内部材４５２が取り付けられている。
【００１２】
側部案内部材４５２は、止めねじのような固定具４５３によって、鉛直ロッド部分の中心位置０ー０からの距離Ｌ1を変更できるように、位置調整可能に取り付けられている。これは、搬送すべき包装シートの幅Ｗ1が変更された場合に対応して側部案内部材４５２の位置を調整するためである。下ガイドプレート４６１にも側部案内部材４６２が、止めねじのような固定具４６３によって位置調整可能に取り付けられている。これは、重ねられたバラの包装シートを搬送する場合に包装シートの幅Ｗ1が変更されることに対処するのみならず、バンド結束された結束シートを複数個並べて搬送する場合にその複数個の結束シートの幅Ｗ2（横並びの場合）又はＷ3（後述する縦並びの場合）に合わせて側部案内部材４６２の位置を調整するためである。下ガイドプレート４５１及び側部案内部材４５２等は、バラシート案内４５を構成し、下ガイドプレート４６１及び側部案内部材４６２等は共通シート案内４６を構成している。バラシート案内４５及び共通シート案内４６は取り入れコンベアの第１の搬送経路を構成している。なお、側部案内部材４５２及び４６２の位置を調節できるようにするには、下ガイドプレート４５１及び４６１に形成する固定具４５３及び４６３用のねじ孔を中心位置０ー０から異なる位置に複数個設けておいて、下ガイドプレートに関する固定具の取り付け位置を変えるようにすればよい。また、取り付け部材を、図５ないし図８の左右に示されるように取り替えて使用してもよい。
【００１３】
図８に示されるように、下ガイドプレート４６１と同様の一対の下ガイドプレート４７１が、位置Ｂと位置Ｃとの間（図４において）に、取り外し可能に設けられている。この一対の下ガイドプレート４７１にも側部案内部材４７２が止めねじのような固定具４７３によって位置調整可能に取り付けられている。下ガイドプレート４７１側部案内部材４７２等は取り外し可能なバラシート案内４７を構成し、このバラシート案内４７も第１の搬送経路を構成している。この下ガイドプレート４７１及び側部案内部材４７２は、バラの包装シートをバラシート案内４５から共通シート案内５６に送る場合に設けられ、後述する結束シートを共通シート案内に送る場合には取り外される。
【００１４】
共通シート案内４６の上には排出機構４９が設けられている。この排出機構は、駆動スプロケット又はベルト車のような駆動輪４９１と、従動スプロケット又はベルト車のような従動輪４９２と、その駆動輪及び従動輪に掛けられたチェーン又はベルトのような無端可撓体４９３とを有していて、その無端可撓体が矢印Ｙの方向に連続的又は間欠的に移動するようになっている。無端可撓体には送り爪４９４が所定の間隔で多数取り付けられている。この送り爪４９４は、共通シート案内４６でバラの包装シートを送る場合には図１０［Ａ］に示されるような捧状になっていて、先端が下ガイドプレート４６１間の隙間４６５内に入るようになっている。一方横に並べられた複数の結束シートを送る場合には図１０［Ｂ］に示されるように逆Ｔ字状になっている。したがって、搬送する対象物に応じて送り爪を交換する。
【００１５】
取り入れコンベア４には、また、図４において位置Ｅと位置Ａの間でしかも水平ロッド部分４４１の移動経路より下側の位置に下ガイドプレート４８１が配置され、図示しない公知の方法によりフレーム４０に固定されている。下ガイドプレート４８１の上には、一対の側部案内部材４８２が固定具を構成する止めねじ４８４により、中心０ー０からの距離Ｌ2を変更できるように、位置調整可能に取り付けられている。これは、結束シートを横に並べて搬送する場合及び縦に並べて搬送する場合のみならず、一つの結束シートの大きさが変更された場合に側部案内部材４８２の位置を調整するためである。側部案内部材を位置調整可能にする方法は、下ガイドプレート４８１に形成される固定具４８３用のねじ孔４８４を複数個中心０ー０から異なる位置に設けて、下ガイドプレートに関する固定具の固定位置を変更できるようにすればよい。一方の側部案内部材４８２（図９で左側）は、図４において位置Ｅと位置Ｂとの間でベルトの移動方向に沿って伸び、他方の側部案内部材４８２（図９で右側）は位置Ｆと位置Ｂとの間で伸びている。下ガイドプレート４８１及び側部案内部材４８２は結束シート案内４８を構成し、この結束シート案内４８は取り入れコンベアの第２の搬送経路を構成している。位置Ｉにおいて、一方のフレーム４０には、図９に示される用に挿入口４０１が形成され、その挿入口に挿入ガイド４０２が設けられている。この挿入ガイドは、コンベア７ｃによって送られた５個横並びされた結束シートＢＳを挿入口を介して下ガイドプレート４８１上に送り込めるようにしている。結束シートの送り込みは、例えば流体シリンタ等により動かされるプッシャ（図示せず）等で行えばよい。
【００１６】
取り入れコンベア４には、更に、搬入機構６が組み込まれている。搬入機構６は、駆動ベルト車４２の位置に隣接して配置されている。この搬入機構６は、中心軸線が下ガイドプレート４５１又は４６１に関して角度θで傾斜された流体シリンダのようなアクチュエータ（以下流体シリンダと呼ぶ）６１と、流体シリンダのシリンダ体６１１に固定された案内部材６２によって流体シリンダの中心軸線に平行に移動可能に支持されたロッド６３１を有していて、流体シリンダ６１のピストンロッド６１２に固定されたスライダ６３とを備えている。スライダ６３には、結束シート案内４６により案内されて送り部材４４により位置Ａまで送られて来た結束シートが乗るようになっている搬入部材６３３設けられている。この搬入機構６は流体シリンダ６１のピストンロッド６１２が図４に示されるように引っ込んでいてスライダ６３のスライダ本体６３２の前面６３４が位置Ｍにある状態のとき、結束シート案内４８から送られた結束シートを搬入部材６３３に乗せられるようになっている。そしてピストンロッド６１２が伸びて搬入部材６３３の前面６３４が位置Ｎに移動されると、搬入部材６３３の上面が共通シート案内４６の下ガイドプレート４６１の上面と同じレベルになり、搬入部材６３３上の結束シートを下ガイドプレート上に移動できる。
【００１７】
上記取り入れコンベア４は、対の駆動ベルト車４１が連続回転することによって、ベルト４３が図４で矢印Ｘ方向に、隣接する送り部材４４間のピッチＰごとに間欠移動される。そしてバラの包装シートを、例えば下流側のピロー包装機に搬送する場合には、まず位置Ｂと位置Ｃとの間にバラシート案内４７が図４に示されるように設けられ、下ガイドプレート４５１上のバラの包装シートを下ガイドプレート４６１上に案内できるようにすると共に、搬入機構６の流体シリンダ６１を動作させてスライダを位置Ｎの近くまで移動させて送り部材４４の移動をスライダで妨げないようにしている。また、全ての側部案内部材４５２、４６２及び４７２は搬送されるバラの包装シートの幅に合わせて位置決めされている。このような状熊の下で従動ベルト車４２の近くの位置でバラシート案内４５の下ガイドプレート４５１の上にバラの包装シートＳが例えば１０枚一組として重ねて乗せられると、ベルト４３と共に移動する送り部材４４の第１の送り部分すなわち鉛直ロッド部分４４２が重ねられたバラの包装シートの後ろ側を押してその包装シートを図４において左側から右側にバラシート案内４５、４７の順で第１の搬送経路を通して送られる。
【００１８】
一方、結束シートを複数個（本実施例では５個横並びで）送る場合には、まず、位置ＢとＣとの間の可動バラシート案内４７を取り外され、搬入機構６のスライダ６３は図４の示される位置で待機する。また共通シート案内４６の一対の側部案内部材４６２は、それらの間で横に並べられた５個の結束シートを搬送できるように、位置調整される。この状態で、位置Ｉにおいて、下ガイドプレート４８１上に５個の結束シートＢＳが横に並べられて図示しない押し込み機構により挿入口４０１を介して押し込まれると、プッシャ４８６が動作して結束シートの後緑が位置Ｆになるまで移動する。その後、ベルト４３の間欠移動により結束シートＢＳが送り部材４４に押されて位置Ａに向かって第２の搬送経路を通して送られる。そして、送り部材が位置Ａに達すると結束シートは搬入部材４３３上に乗せられる。すると、搬入機構６の流体シリンダが動作してスライダが位置Ｎまで移動する。搬入部材上に乗せられた結束シートは共通シート案内４６の下ガイドプレートと整合される。その後、排出機構４９の送り爪４９４によって取り入れコンベアから排出される。
【００１９】
次に、上記搬送装置の動作を全体を通して説明する。
まず、バラの包装シートを複数枚（この実施例では１０枚）重ねた状態でピロー包装機に送る場合は、上記取り入れコンベア４のバラシート案内４７を位置ＢとＣとの間に図４に示されるように設置する。この状態で、バラシートコンベア２によって上下に１０枚重ねられた包装シートＳは第２の取り出し位置２０２から取り入れコンベア４の下ガイドプレート４５１の上に乗せられる。すると、ベルト４３の矢印Ｘ方向の間欠移動による送り部材４４の間欠移動により、第１の送り部分すなわち鉛直ロッド部分４４２に押されて位置Ｂに向かって間欠的に移送される。鉛直ロッド部分４４２が位置Ｂに到着すると、その鉛直ロッド部分によって押された包装シートＳはバラシート案内４７の下ガイドプレート４７１の上に乗せられる。すると排出機構４９の送り爪４９４が包装シートをバラシート案内４７から共通シート案内４６を介して図示しない下流側の装置、例えばピロー包装機に送る。このようにバラの包装シートは第１の搬送経路を通して送られる。
【００２０】
次に、複数枚（この実施例では１０枚）の包装シートをバンド結束し、複数の結束シートＢＳを一度に下流側の装置に送る場合は、位置ＢとＣとの間のバラシート案内４７が取り外される。この状態で、第１の取り出し位置２０１からバンド結束機構３に取り込まれた１０枚の包装シートはそのバンド結束機構により１０枚一組としてバンド結束される。バンド結束された結束シートＢＳは、コンベア７ａ、７ｂを介して一つずつ結束シートまとめ機構５に送られ、その結束シートまとめ機構により５個を横に並べた状態でまとめられる。まとめたれた５個の結束シートはコンベア７ｃにより取り入れコンベアの挿入口４０１の位置近くまで送られる。そこに送られた５個の結束シートは、図示しないプッシャによって挿入口を介して結束シート案内４８の下ガイドプレート４８１の上に挿入される。下ガイドプレート上に乗せられた結束シートは５個一組として、送り部材の第２の送り部分すなわち水平ロッド部分４４１により押されて位置Ａまで第２の搬送経路を通して送られ、搬入機構６を介して第１の搬送経路を構成する共通シート案内４６に送られ、排出機構４９により排出される。
【００２１】
図１１において、搬送装置の変形例が示されている。この変形例の搬送装置１ａでは、バラシートコンベア２、バンド結束機構３、取り入れコンベア４等は前記実施例の搬送装置のものと同じであるが、結束シートまとめ機構５ａが、複数個（この実施例では５個）の結束シートＢＳを、取り入れコンベアの搬送方向に沿って縦に並べるように構成されている点で、結束シートまとめ機構５と相違する。なお、８ａ、８ｂは結束シートを１個ずつ結束シートまとめ機構５ａに送るコンベアであり、８ｃは縦にまとめられた結束シートを取り入れコンベア４の挿入口４０１近くに送るコンベアである。
【００２２】
【発明の効果】
本発明によれば、次のような効果を奏することが可能である。
（１）一部の部品の位置を変えたり又は変更するだけで１台の搬送装置で、異なる包装形態に対応できるので、包装コストを削減できる。
（２）異なる包装形態に体して１台の装置で対応できるので、包装装置全体のスペースを小さくできる。
【図面の価単な説明】
【図１】本発明の包装シートの集積包装用搬送装置の概略構成を示す平面図である。
【図２】  図１のコンベア７ｂの拡大平面図である。
【図３】  図２のコンベアの線Ｊ−Ｊに沿って見た断面図である。
【図４】取り入れコンベアの長手方向に沿った概略新面図である。
【図５】図４の位置Ａの拡大断面図である。
【図６】図４の位置Ｂの拡大断面図である。
【図７】図４の位置Ｇの拡大断面図である。
【図８】図４の位置Ｈの拡大欧面図である。
【図９】図４の位置１の拡大駅面図である。
【図１０】  搬送爪の異なる形状を示す図であって、［Ａ］はバラの包装シート用の送り爪を示し、［Ｂ］は結束シート用の送り爪を示す。
【図１１】本発明の包装シートの集積包装用搬送装置の変形例の概略構成を示す平面図である。
【符号の説明】
１、１ａ  搬送装置                  ２  バラシートコンベア
３  バンド結束機構                  ４  取り入れコンベア
４３  無端可撓体                  ４４  送り部材
４５  バラシート案内              ４６  共通シート案内
４７  バラシート案内              ４８  結束シート案内
４９  排出機構                    ４４１  第１の送り部分
４４２  第２の送り部分            ４５１  下ガイドプレート
４５２  側部案内部材              ５６１  下ガイドプレート
４６２  側部案内部材              ４７１  下ガイドプレート
４７２  側部案内部村              ４８１  下ガイドプレート
４８２  側部案内部材
５、５ａ  結束シートまとめ機構      ６  搬入機構
【図１】
0003662397.tif 000002
【図２】
0003662397.tif 000003
【図３】
0003662397.tif 000004
【図４】
0003662397.tif 000005
【図５】
0003662397.tif 000006
【図６】
0003662397.tif 000007
【図７】
0003662397.tif 000008
【図８】
0003662397.tif 000009
【図９】
0003662397.tif 000010
【図１０】
0003662397.tif 000011
【図１１】
0003662397.tif 000012